(57)【要約】【課題】  ランプリフレクタを用いた表示装置において、容易に、光源の電極部近傍に存在する非発光域の輝度を向上させ、表示パネル表示面内光量分布に関し高い均一性を得ることを可能とする。【解決手段】  光源１と、前記光源１から入射した光を出射する出光面３ｃを備える導光板３と、前記光源１を覆うように前記導光板３の側面３ａに配置され、前記導光板３の側面側３ａに開口部７ａを有し、前記開口部７ａと対向する面７ｂにおいて長手方向に傾斜部７ｃが形成されたランプリフレクタ７とを備える。【選択図】  図３
2008041609.tif 000002
【特許請求の範囲】
【請求項１】
光源と、
前記光源から入射した光を出射する出光面を備える導光板と、
前記光源を覆うように前記導光板の側面に配置され、前記導光板の側面側に開口部を有し、前記開口部と対向する面において長手方向に傾斜部が形成されたランプリフレクタと、
を備えることを特徴とする表示装置。
【請求項２】
前記光源は冷陰極蛍光ランプよりなり、前記ランプリフレクタは、前記冷陰極蛍光ランプの電極近傍に、傾斜部を有することを特徴とする請求項１記載の表示装置。
【請求項３】
前記ランプリフレクタに形成された傾斜部は、前記冷陰極蛍光ランプの電極部と発光部の境界地点を始点とし、前記発光部方向へ向かい形成されることを特徴とする請求項２記載の表示装置。
【請求項４】
前記ランプリフレクタに形成された傾斜部は、傾斜角度が１度〜５度の範囲であることを特徴とする請求項１乃至３のいずれかに記載の表示装置。
【請求項５】
前記傾斜部を曲面部に置き換えたことを特徴とする請求項１乃至３のいずれかに記載の表示装置。
【発明の詳細な説明】
【技術分野】
【０００１】
本発明は、ランプリフレクタを用いた表示装置に関する。
【背景技術】
【０００２】
従来の表示装置は、例えば液晶を用いた表示装置において、液晶パネルに光を導くため導光板を液晶パネル表示面とは反対側の面に配置し、導光板の側面には、発光ダイオード（ＬＥＤ：Light Emitting Diode）などの光源を配置している。さらに、該光源を覆うように光源からの光を導光板側面に集約させるべく反射部材が配置される。光源からの光を導光板内において伝播させ、導光板内に設けられる拡散パターンで拡散させることによって、表示面に光を取り出している。
【０００３】
また、導光板に、導光板面上に形成した反射パターンの反射率が、光源の中央部近傍からその端部方向に遠ざかるに従って、光源の中央部近傍の反射率より大となるように反射パターンが形成されているものもある（例えば、特許文献１）。
【０００４】
【特許文献１】特開平５−２６４９９５号公報（図１）
【発明の開示】
【発明が解決しようとする課題】
【０００５】
上記従来の表示装置では、光源の電極部近傍に存在する非発光域の輝度が、光源の発光部近傍に存在する発光域に比べて低く、液晶パネル表示面内光量分布に関し高い均一性が得られないという問題があった。
【０００６】
また、特許文献１に示された、液晶表示装置では、導光板に、導光板面上に形成した反射パターンの反射率が、光源の中央部近傍からその端部方向に遠ざかるに従って、光源の中央部近傍の反射率より大となるように反射パターンを形成されているが、光源自体の発光輝度が低いため、光源の電極部近傍に存在する非発光域の輝度を高くする大きな効果は得られなかった。
【０００７】
本発明はこのような問題点に鑑みてなされたものであり、ランプリフレクタを用いた表示装置において、容易に、光源の電極部近傍に存在する非発光域の輝度を向上させ、表示パネル表示面内光量分布に関し高い均一性を得ることを目的としている。
【課題を解決するための手段】
【０００８】
本発明による表示装置は、光源と、前記光源から入射した光を出射する出光面を備える導光板と、前記光源を覆うように前記導光板の側面に配置され、前記導光板の側面側に開口部を有し、前記開口部と対向する面において長手方向に傾斜部が形成されたランプリフレクタとを備えることを特徴とする。
【発明の効果】
【０００９】
本発明の表示装置によれば、容易に、光源の電極部近傍に存在する非発光域の輝度を向上させ、表示面内光量分布に関し高い均一性を備えた表示装置を得ることができる。
【発明を実施するための最良の形態】
【００１０】
以下に、本発明の適用可能な実施の形態が説明される。以下の説明は、本発明の実施形態を説明するためのものであり、本発明が以下の実施形態に限定されるものではない、説明の明確化のため、以下の記載は、適宜、省略及び簡略化がなされている。又、当業者であれば、以下の実施形態の各要素を、本発明の範囲において容易に変更、追加、変換することが可能であろう。
【００１１】
実施の形態１．
図１は本発明実施の形態１における表示装置の分解斜視図、図２は本発明実施の形態１における表示装置の平面図、図３は本発明実施の形態１におけるランプリフレクタの斜視図、図４は本発明実施の形態１におけるランプリフレクタに形成された傾斜部を拡大した正面図、図５は本発明の実施の形態１における他のランプリフレクタの例を示す斜視図である。
【００１２】
図１〜図５において、冷陰極蛍光ランプ（ＣＣＦＬ）などの光源１を、該光源１からの光を表示パネル２の表示面２ａへ導き拡散するために、導光板３の側面３ａ側に配置させる。導光板３の反出光面３ｂ（ここで、反出光面とは導光板３における紙面下方の面を言う）には、光の伝播方向を乱して出光面３ｃ（ここで、出光面とは導光板３における紙面上方の面を言う）に光を導くための光散乱部が形成されている（図示せず）。この光散乱部は、導光板内を伝播する光の全反射条件を乱すことで、導光板から光を取り出す手段として機能する。さらに具体的には、前記散乱する手段として、導光板３の反出光面３ｂにドットパターンを印刷する方法や、反出光面３ｂを粗面にする方法、微小な球面やプリズムなどの光の伝播方向を変化させる凹凸を反出光面３ｂに形成する方法等がある。
【００１３】
導光板３は、ポリエチレンテレフタレート（ＰＥＴ）、アクリル（ＰＭＭＡ）、ポリカーボネート（ＰＣ）、もしくはシクロオレフィン系などの樹脂板またはガラス基板などの光を透過する機能を有するものである。特に、ポリカーボネートやシクロオレフィン系樹脂を使用することにより、温度変化による導光板３の寸法変化が少なくなり、より広い温度範囲で使用することができるので好ましい。
【００１４】
導光板３の反出光面３ｂ側には、光を有効的に反射させるように反射シート４を設け、リアフレーム５の内部に導光板および反射シート４を配設している。反射シート４の材質としては、銀，アルミニウム，ステンレスなどの金属性のものや、蛍光剤を含有した発泡性ＰＥＴフィルム（白色ＰＥＴフィルム）などである。特に、白色ＰＥＴフィルムは、反射面の傷が目立ち難く取り扱いが容易であるため好ましい。
【００１５】
また、導光板３の出光面３ｃ側には、光を効果的に利用するための複数枚の光学シートからなる光学シート類６を配置する。
【００１６】
なお、光学シート類６はレンズシートを拡散シートで挟み込む構成である。また、輝度の向上が必要な場合には、複数枚のレンズシートをその表面に形成されるシートのプリズムの方向を考慮して組み合わせてもよい。また、拡散シートは、拡散性を向上させる場合に、２枚以上用いることが可能である。さらに、レンズシートの配光特性によってはレンズシートを１枚としてもよいし、または使用しなくてもよい。さらに、レンズシートと偏光反射シートとを組み合わせてもよい。また、いずれも使用しないこともでき、求める輝度や配光特性等を鑑みて最適化することが好ましい。
【００１７】
さらに、導光板３の側面３ａ側に、ランプリフレクタ７を導光板３の側面３ａ側に開口部７ａを有し、光源１を覆うように配置する。該ランプリフレクタ７の開口部７ａと対向する面７ｂは、光源１の電極部１ａ近傍にランプリフレクタ７の長手方向へ向かう傾斜部７ｃ有している。光源１からの光は、ランプリフレクタ７に形成された傾斜部７ｃにて反射され、表示パネルの非発光域Ａへ集光することができる。
【００１８】
これにより、表示パネル２の表示面２ａにおいて、光源１の電極部１ａ近傍に存在する非発光域Ａの輝度を向上させ、表示面内光量分布に関し高い均一性を得ることが可能となる。
【００１９】
また、ランプリフレクタ７の傾斜部７ｃの傾斜角度θは、１〜５度であることが好ましい。傾斜角度θが１度以上であることによって、傾斜部７ｃの加工が容易となり、さらに、表示パネル２の表示面２ａにおいて、光源１の電極部１ａ近傍に存在する非発光域Ａへ効率よく光を供給することが可能となる。また、傾斜角度θが５度以下であることによって、表示装置の外形サイズに影響を及ぼすことがないため、表示装置の外形サイズを小さくすることができる。
【００２０】
表１に、ランプリフレクタ７に形成された傾斜部７ｃの傾斜角度θを１〜５度とした際の、傾斜部７ｃの高さｈと幅ｗとの値を示す。
【００２１】
【表１】
2008041609.tif 000003
【００２２】
また、ランプリフレクタ７に形成された傾斜部７ｃを光源１の電極部１ａと発光部１ｂとの境界地点Ｓを始点とし、発光部１ｂへ向かって形成することで、光源１の発光部１ｂより発せられた光が、傾斜部７ｃ全面にて反射されるため、より効率よく光源１からの光を表示パネルの非発光域Ａへ集光することができる。
【００２３】
なお、光源１、導光板３、反射シート４、光学シート類６およびランプリフレクタ７は導電性材料で形成されるリアフレーム５とミドルフレーム８に挟持されている。さらに、光源１、表示パネル２、導光板３、反射シート４、リアフレーム５、光学シート類６、ランプリフレクタ７およびミドルフレーム８は、開口部を有するフロントフレーム９で支持されている。
【００２４】
なお、本実施の形態１においては、ランプリフレクタ７の傾斜部７ｃを、光源１の両端部に存在する電極部１ａ近傍に配置し、傾斜部７ｃ間に平面部７ｄを形成する場合を説明したが、図５に示す通り、表示装置の外形サイズに影響を及ぼすことがなく、非発光域Ａの輝度を向上させることが可能であれば、平面部７ｄを形成しなくとも問題はない。
【００２５】
実施の形態２．
本発明の実施の形態２を図６〜図８により説明する。図６は本発明実施の形態２におけるランプリフレクタの斜視図、図７は本発明実施の形態２におけるランプリフレクタに形成された曲面部を拡大した正面図、図８は本発明の実施の形態２における他のランプリフレクタの例を示す斜視図である。図６〜図８において、図１〜図５と同じ構成部分については同一の符号を付している。
【００２６】
図６〜図８に示すとおり、本実施の形態２では、導光板３の側面３ａ側に配置された、ランプリフレクタ７の開口部７ａと対向する面７ｂは、光源１の電極部１ａ近傍にランプリフレクタ７の長手方向へ向かう曲面部７ｅ有している。光源１からの光は、ランプリフレクタ７に形成された曲面部７ｅにて反射され、表示パネルの非発光域Ａへより効率よく集光することができる。
【００２７】
これにより、表示パネル２の表示面２ａにおいて、光源１の電極部１ａ近傍に存在する非発光域Ａの輝度を向上させ、表示面内光量分布に関しより高い均一性を得ることが可能となる。
【００２８】
また、ランプリフレクタ７の曲面部７ｅは、半径ｒが１１５〜５７２ｍｍからなる円により形成されることが好ましい。半径ｒが１１５ｍｍ以上であることによって、表示装置の外形サイズに影響を及ぼすことがないため、表示装置の外形サイズを小さくすることができる。また、半径ｒが５７２ｍｍ以下であることによって曲面部７ｅの加工が容易となり、さらに、表示パネル２の表示面２ａにおいて、光源１の電極部１ａ近傍に存在する非発光域Ａへ効率よく光を供給することが可能となる。
【００２９】
表２に、ランプリフレクタ７に形成された曲面部７ｅが、半径ｒを１１５〜５７２ｍｍからなる円により形成された際の、曲面部７ｅの高さｔと幅ｖとの値を示す。
【００３０】
【表２】
2008041609.tif 000004
【００３１】
また、ランプリフレクタ７に形成された曲面部７ｅを光源１の電極部１ａと発光部１ｂとの境界地点Ｓを始点とし、発光部１ｂへ向かって形成することで、光源１の発光部１ｂより発せられた光が、曲面部７ｅ全面にて反射されるため、より効率よく光源１からの光を表示パネルの非発光域Ａへ集光することができる。
【００３２】
なお、本実施の形態２においては、ランプリフレクタ７の曲面部７ｅを、光源１の両端部に存在する電極部１ａ近傍に配置し、曲面部７ｅ間に平面部７ｆを形成する場合を説明したが、図８に示す通り、表示装置の外形サイズに影響を及ぼすことがなく、非発光域Ａの輝度を向上させることが可能であれば、平面部７ｆを形成しなくとも問題はない。
【００３３】
また、本実施の形態１および２においては、導光板３として板状のものを用いているが、それに限定されることなく、例えば光源１から離れるにつれて導光板３の厚みが薄くなる楔形にすることで、入光した光を効率よく伝播することができ、前記光を出光面３ｃに効率よく導くことができる。
【００３４】
また、本実施の形態１および２においては、導光板３の反出光面３ｂ側に、光を有効的に反射させるように反射シート４を設けているが、リアフレーム５に反射シート４の機能を兼ねるようにしても部材点数を削減できるために好ましい。
【００３５】
さらに、図１では導光板３の２つの側面にのみ光源１及びランプリフレクタ７を設けているが、本発明はこれに限らず導光板の１つの側面以上に光源及びランプリフレクタを設けても良い。
【００３６】
また、本実施の形態１および２においては、通常、導光板の側面に配置される光源としては冷陰極管からなる蛍光ランプ（ＣＣＦＬ）が使用されるが、それに限定されることなく、例えばＲ、Ｇ、Ｂなどの発光色を持つ発光ダイオード（ＬＥＤ）を用いた光源を使用した場合でも、同等の効果を得ることが可能である。
【図面の簡単な説明】
【００３７】
【図１】本発明実施の形態１における表示装置の分解斜視図
【図２】本発明実施の形態１における表示装置の平面図
【図３】本発明実施の形態１におけるランプリフレクタの斜視図
【図４】本発明実施の形態１におけるランプリフレクタに形成された傾斜部を拡大した正面図
【図５】本発明の実施の形態１における他のランプリフレクタの例を示す斜視図
【図６】本発明の実施の形態２におけるランプリフレクタの斜視図
【図７】本発明実施の形態２におけるランプリフレクタに形成された曲面部を拡大した正面図
【図８】本発明の実施の形態２における他のランプリフレクタの例を示す斜視図
【符号の説明】
【００３８】
１  光源、１ａ  光源の電極部、１ｂ  光源の発光部、２  表示パネル、２ａ  表示面、３  導光板、３ａ  導光板側面、３ｂ  導光板反出光面、３ｃ  導光板出光面、４  反射シート、５  リアフレーム、６  光学シート類、７  ランプリフレクタ、７ａ  ランプリフレクタ開口部、７ｂ  ランプリフレクタ開口部と対向する面、７ｃ  ランプリフレクタ傾斜部、７ｄ  ランプリフレクタ平面部、７ｅ  ランプリフレクタ曲面部、７ｆ  ランプリフレクタ平面部、８  ミドルフレーム、９  フロントフレーム
【図１】
2008041609.tif 000005
【図２】
2008041609.tif 000006
【図３】
2008041609.tif 000007
【図４】
2008041609.tif 000008
【図５】
2008041609.tif 000009
【図６】
2008041609.tif 000010
【図７】
2008041609.tif 000011
【図８】
2008041609.tif 000012